(57)【要約】【課題】  拡声筒の部分を平たい形状して叩き易い打撃応援用のメガホンにしたいのであるが、平たくすることで叩いた時に大きく撓むなど強度的な問題を生じてしまうことが分かった。すなわち強度をより高めて叩いた時に撓む度合いをより抑えることが出来るようにしたい。【解決手段】  拡声筒と吹き口とから成るメガホンに於いて、拡声筒が叩き易いような平たい形状を呈しており、且つ前記拡声筒の叩く側及びその反対側の壁面ではない壁面の内少なくとも一の壁面に付いて、その一部に内側に入り込む壁面部位を備えていることを特徴とする打撃応援用のメガホンとした。【選択図】図１
2011215553.tif 000002
【特許請求の範囲】
【請求項１】
拡声筒と吹き口とから成るメガホンに於いて、拡声筒が叩き易いような平たい形状を呈しており、且つ前記拡声筒の叩く側及びその反対側の壁面ではない壁面の内少なくとも一の壁面に付いて、その一部に内側に入り込む壁面部位を備えていることを特徴とする、打撃応援用のメガホン。
【請求項２】
前記メガホンに首から吊したり手で提げる紐を掛けるための紐通し孔が開けられている、請求項１に記載の打撃応援用のメガホン。
【請求項３】
２個の前記メガホンが、首から吊したり手で提げるための紐で結ばれている、請求項１に記載の打撃応援用のメガホン。
【請求項４】
１個の前記吹き口に２個の前記拡声筒が、互いに叩き合うことが出来るように設けられている、請求項１に記載の打撃応援用のメガホン。
【請求項５】
前記メガホンが法被を模した形状を呈するものである、請求項１に記載の打撃応援用のメガホン。
【発明の詳細な説明】
【技術分野】
【０００１】  本発明は、スポーツ観戦時等に於いて用いられる、１個を手で叩いたり２個を叩き合わせて応援するためのメガホンに関する。
【背景技術】
【０００２】  スポーツ観戦時に声援が選手に届くようにしたりサポータ同士の意気を高揚させるためにメガホンが用いられる。特に電子回路としての拡声装置を備えるようなものではなく、声援に指向性を与える（両手を筒のようにして口の周りに当てるのと同じであるが、指向性故に良く聞こえるようになるため、以下ではこれも拡声と言う）ためのメガホンは、その殆どのものの拡声筒が合成樹脂製に成るものである。【０００３】  このようなメガホンは拡声の役割を担うわけであるが、ユーザーはただ拡声のためだけに用いるのではなく手で叩いたり振り回したりして応援に用いている。またメガホンを２個持っている場合にはこれ等を叩き合わせて応援するようなことも普通に行われている。この一例として当発明者の発明になる特許３０９９２８４のメガホンを上げる。
【先行技術文献】
【特許文献】
【０００４】
【特許文献１】特許第３０９９２８４号「メガホン」（図３）
【発明の概要】
【発明が解決しようとする課題】
【０００５】  このようなメガホンはその拡声筒の部分が円錐形状を呈しているため、これを平たい形状にすると更に叩き易くなるものと考えられる。なお平たい形状にすると新しいデザインを考案する余地も広がるであろう。しかしながら拡声筒の部分を平たい形状にすると、叩いた時に大きく撓むなど強度的な問題を生じてしまうのである。【０００６】  そこで本発明は、強度をより高めて叩いた時に撓む度合いをより抑えることが出来るような、打撃応援用のメガホンの提供を課題とする。
【課題を解決するための手段】
【０００７】  上記課題は、拡声筒と吹き口とから成るメガホンに於いて、拡声筒が叩き易いような平たい形状を呈しており、且つ前記拡声筒の叩く側及びその反対側の壁面ではない壁面の内少なくとも一の壁面に付いて、その一部に内側に入り込む壁面部位を備えていることを特徴とするメガホンとすることにより達成される。【０００８】  拡声筒の全体は平たいのであるが、これを支える壁面の一部が内側に入り込んでいるために、この部位が叩く側及びその反対側の壁面を支えて、強度を高めている。内側に入り込む壁面の形状は任意であるが、三角形の２辺のように角度を持たせたものとする以外に、正弦波の一部のようにカーブを持たせたものとすることが出来る。なお内側に入り込む壁面の形状によっては、吹き口で吹かれた声を拡声筒の内部で反響させるようにすることも可能である。【０００９】  拡声筒の素材には、これまでのメガホンのように合成樹脂を用いることが出来る。またゴムやポリウレタン等のフォーム素材から成るものとすることも可能である。【００１０】  次に、前記メガホンに首から吊したり手で提げる紐を掛けるための紐通し孔が開けられているものとすることが出来る。この紐通し孔に紐を付けて販売したりユーザーが自分で紐を通したりすることが出来る。【００１１】  次に、２個の前記メガホンが、首から吊したり手で提げるための紐で結ばれているものとすることが出来る。例えばこの紐で２個の前記メガホンを首から吊しておき、応援の際には２個の前記メガホンを叩き合わせるようにするのである。【００１２】  次に、１個の前記吹き口に２個の前記拡声筒が互いに叩き合うことが出来るように設けられているものとすることが出来る。これによれば２個の前記メガホンを持たなくても、このメガホン一つだけで前記拡声筒同士を叩き合わせて打撃音を発生させることが出来る。なおこの際に２個の前記拡声筒は各々強度が従来のものに比して増しているため、叩き合った際に撓む度合いが抑えられる。【００１３】  次に、前記メガホンが法被を模した形状であるものとすることが出来る。法被は祭りの気分を表す最適な装束でもあるから、この形状を模すことによって応援気分を盛り上げることが可能である。
【発明の効果】
【００１４】  本発明によれば拡声筒の部分を平たい形状して叩き易いものとした場合でも、打撃する壁面を支える壁面の一部を内側に入り込ませた構成としたために、この部位が叩く側及びその反対側の壁面を支えるので、この壁面の強度が高まり撓みがより抑えられる効果がある。
【図面の簡単な説明】
【００１５】
【図１】  実施例１の説明図である。
【図２】  この壁面部分の説明図である。
【図３】  実施例２の説明図である。
【図４】  実施例３の説明図である。
【発明を実施するための形態】
【００１６】  以下では本発明の３種の実施例を図面を参照しつつ説明するが、本発明はこれ等の実施例に限定されるものではない。
【実施例１】
【００１７】  図１及び図２を用いて説明すると、メガホン１は吹き口１０と拡声筒１２とから成り、拡声筒１２は全体として平たく構成されている。すなわち拡声筒１２は打撃壁１３側の面積が大きく側壁１４側の幅が小さい。この側壁１４がくびれ部１５を有してこの部位で内側にくびれている。なお符号１１は吹き口１０に開口された紐通し孔である。【００１８】  図２から明らかとなるように、一般的なメガホンの拡声筒であればラインＬが描くようなほぼ直線の形状を呈するが、本実施例では側壁１４がくびれ部１５で角度を持ってくびれているために、打撃部１３の曲線で表したおおよその範囲が補強されて、打撃部１３を叩いた時にこの壁面の撓みが抑えられるのである。
【実施例２】
【００１９】  図３で示したものは、２つのメガホン２，３を連結紐４で連結して成るものであり、各々くびれ部２５，３５を有しているが、くびれ部２５が角度を持ってくびれているのに対して、くびれ部３５は緩やかにカーブしてくびれている点に特徴を有する。この何れの場合でも打撃部２３はくびれ部２５により、また打撃部３３はくびれ部３５により補強されており撓みにくいものとなっている。【００２０】  符号２１は吹き口２０にまた３１は吹き口３０に開けられた紐通し孔であり、この紐通し孔２１，３１に連結紐４が通されて２つのメガホン２，３が連結されている。符号２２，３２は拡声口であり、２４，３４は打撃部２３，３３の面積に比して幅が小さい側壁であるため、２つのメガホン２，３は全体として平たい形状を呈している。従って打撃部２３，３３を叩き合わせるようにして使用するが、この際に打撃部２３，３３の強度がくびれ部２５，３５により高められているのである。なお符合２６，３６は打撃部２３，３３に貼付されたステッカーである。なおメガホン２は法被を、メガホン３は瓢箪を模したものとした。
【実施例３】
【００２１】  図４で示したメガホン５は１個の吹き口５０に対して２個の拡声筒５２，５２が互いに叩き合うことが出来るように設けられている、当発明者が命名した所のＷメガホンである（特許第３０９９２８４号「メガホン」を参照のこと）。図４は２個の拡声筒５２，５２を横から見た状態を表しており、拡声筒５２，５２は平たい形状を呈している。符号５３，５３は打撃壁であり、これ等を繋いで支えているのが側壁５４，５４である。この側壁５４，５４にくびれ部５５，５５が形成されている。【００２２】  図４から明らかとなるがくびれ部５５，５５は側壁５４，５４の幅いっぱいに設けられているのではなく、およそ３分の２程度である。しかしながらこの部位にこのようなくびれ部５５，５５があることによって打撃壁５３，５３がたわみにくく成っているのは確かである。なお符号５６，５６は所謂入れ駒部であり、ここには彫刻見たような装飾を施すことが出来る。また符号５１は拡声筒５２に設けられた紐通し片であり、図示しない紐通し孔が開孔されている。
【産業上の利用可能性】
【００２３】  本発明の打撃応援用のメガホンは筒の内部にマイクと増幅器とスピーカとから成る拡声器を納めたものとして構成することが可能である。
【符号の説明】
【００２４】  １，２，３，５・・メガホン        １０，２０，３０，５０・・吹き口
１１，２１，３１・・紐通し孔      ５１・・紐通し片    ４・・連結紐
１２，２２，３２，５２・・拡声筒  １３，２３，３３，５３・・打撃壁
１４，２４，３４，５４・・側壁    １５，２５，３５，５５・・くびれ部
２６，３６・・ステッカー          ５６・・入れ駒部
【図１】
2011215553.tif 000003
【図２】
2011215553.tif 000004
【図３】
2011215553.tif 000005
【図４】
2011215553.tif 000006